(57)【特許請求の範囲】
【請求項１】
箱状の本体ケースの内部に一個のリールが配置されており、前記リールに巻かれた磁気テープの繰り出し端にリーダーテープが接続されている磁気テープカートリッジであって、
前記リーダーテープの遊端に設けた連結部の上下縁に掛止片が突出形成されており、
前記本体ケースのテープ引出口に、前記掛止片を受け止めてリーダーテープの過剰巻き込みを防ぐストッパーが設けられており、
前記ストッパーが、前記本体ケースと一体形成されたリブ状の突起であり、
前記突起が、前記本体ケースに凹み形成した凹部の底面から立ち上り形成されており、
前記突起が前記掛止片の衝突衝撃を受けると弾性変形することで、該衝突衝撃を緩和吸収するようにしてあることを特徴とする単リール型の磁気テープカートリッジ。  
【発明の詳細な説明】
【０００１】
【発明の属する技術分野】
本発明は、磁気テープの導出端にリーダーテープを備えている単リール型の磁気テープカートリッジに関する。
【０００２】
【従来の技術】
単リール型の磁気テープカートリッジ（以下、単にテープカートリッジという）において、磁気テープの導出端にリーダーテープを設けることは、例えば特開平１１−３２８９２０号公報に公知である。そこでは、リーダーテープ端の連結部に鍵穴形の連結穴を設け、連結部の上下縁に掛止片を突出形成してある。この掛止片はリーダーテープの巻き込み限界を規定するために設けられており、本体ケースのテープ引出口に設けた受溝で両掛止片を受け止めることにより、連結部が本体ケース内へ過剰に巻き込まれるのを防止できる。
【０００３】
【発明が解決しようとする課題】
多くの場合、上記のリーダーテープは、分厚いポリエステルテープ等で形成してあって、磁気テープに比べてより大きな強度を備えている。しかし、磁気テープを巻き戻すごとに、上下の掛止片が本体ケースの受溝に衝突するので、掛止片の基端部に亀裂を生じ、最悪の場合には掛止片が千切れてしまう。このように掛止片が破損したり、変形したりすると、磁気テープを巻き戻した状態におけるリーダーテープの待機位置にばらつきを生じ、ローディング機構による連結不良を生じる。リーダーテープの厚みを増せば、掛止片の強度は向上するが、その場合にはリーダーテープと磁気テープとの接続部に段差を生じ、磁気テープが段差形状に沿って変形し、くせ付けされた部分の記録・再生特性が低下する。
【０００４】
本発明の目的は、磁気テープを巻き戻す際に、リーダーテープの掛止片が本体ケース側のストッパーに衝突する際の衝撃を緩和吸収し、これにより長期使用時の掛止片の破損や変形を防止してテープカートリッジの信頼性を向上することにある。
【０００５】
【課題を解決するための手段】
本発明のテープカートリッジは、図２および図３に示すごとく箱状の本体ケース１の内部に一個のリール２が配置されており、リール２に巻かれた磁気テープ３の繰り出し端にリーダーテープ４が接続されている単リール型の磁気テープカートリッジを対象とする。そこでは、図１に示すごとくリーダーテープ４の遊端に設けた連結部１０の上下縁に掛止片１２が突出形成されており、本体ケース１のテープ引出口５に、掛止片１２を受け止めてリーダーテープ４の過剰巻き込みを防ぐストッパー１３が設けられている。そしてストッパー１３が、本体ケース１と一体形成されたリブ状の突起１４であり、突起１４が掛止片１２の衝突衝撃を受けると弾性変形することで、衝突衝撃を緩和吸収するようにしてあることを特徴とする。
【０００６】
突起１４は、本体ケース１に凹み形成した凹部１５の底面から立ち上り形成させることができ、これにより、凹部１５の深さ寸法分だけ突起の高さ寸法を大きくして、以て突起１４の衝撃吸収力の向上を図ることができる。
【０００７】
【発明の作用効果】
この発明では、リーダーテープの過剰巻き込みを防ぐために、テープ引出口に設けたストッパーが、本体ケースと一体成形されたリブ状の突起からなり、テープ巻き戻し時の掛止片の衝突衝撃を、突起それ自身が弾性変形することで吸収緩和されるようにした。従って、テープを巻き戻し操作するたびに掛止片がストッパーに衝突しても、その衝突衝撃を突起が弾性変形して吸収緩和するので、掛止片が破損したり、あるいは変形したりするのを確実に防止でき、長期使用時の掛止片の破損や変形を防止してテープカートリッジの信頼性が向上する。
【０００８】
突起が、本体ケースの内面に凹み形成した凹部の底面から立ち上り形成されている構成によれば、凹部の深さ寸法分だけ突起の高さ寸法を大きくできる。従って、例えば本体ケースの内面から突起を形成する場合と比べて、突起の衝撃吸収力の向上を図ることができる。
【０００９】
【発明の実施の態様】
図１ないし図３は本発明に係る単リール型の磁気テープカートリッジの実施例を示す。図２および図３において磁気テープカートリッジは、樹脂製の上下ケース１ａ・１ｂを蓋合わせ状に結合してなる角箱状の本体ケース１の内部に一個のリール２を収容し、このリール２に磁気テープ３（以下、単にテープという）が巻装されている。テープ３の繰出し端には、テープ３を引き出し操作するためのリーダーテープ４がスプライシングテープを介して連結されている。本体ケース１の前面にはテープ引出口５を有する。テープ引出口５は揺動可能なドア６で開閉できる。このドア６はばね７で閉じ勝手に揺動付勢してある。ドア６の揺動基端にはロックピースを組み込んであり、ロックピースをロック解除した状態でのみドア６を開き操作できる。図２において符号８ａ・８ｂはリールロック、９は誤消去防止用の切換ピースである。
【００１０】
リーダーテープ４の遊端には、図１に示すごとく舌片状の連結部１０が一体に形成されている。連結部１０の中央部分には鍵穴形の連結穴１１を貫通状に設けてあり、連結部１０の上下縁のそれぞれに四角形状の掛止片１２が突設されている。テープ３およびリーダーテープ４をリール２で巻き取った待機状態においては、先の掛止片１２が、テープ引出口５の内部に設けたストッパー１３で受け止められて、それ以上にリーダーテープ４が本体ケース１内へ過剰に巻き込まれるのを防止している。この待機状態においては、連結穴１１を含む連結部１０が位置決め保持されて、テープ引出口５からケース外に露出するので、テープドライブ側の部材を連結穴１１に係合連結してリーダーテープ４を本体ケース１の前方外側に引き出し操作できる。
【００１１】
図１においてストッパー１３は、上ケース１ａの上面壁の内面、および下ケース１ｂの下面壁の内面に一体形成した上下一対のリブ状の突起１４からなる。これら突起１４は、上下ケース１ａ・１ｂの内面に凹み形成した凹部１５の底面から立ち上り形成されている。これら突起１４の幅方向中心が掛止片１２の移動軌跡に臨む状態で配置されている。
【００１２】
突起１４の厚みは、掛止片１２が突起１４に衝突したとき、突起１４これ自体が弾性変形して衝突衝撃を緩和吸収できるほどに薄肉とする。突起１４を本体ケース１に凹み形成した凹部１５の底面から立ち上り形成して、凹部１５の深さ寸法分だけ突起１４の高さ寸法を大きくとり、衝撃吸収力の向上を図っている。
【００１３】
上記構成のストッパー１３で掛止片１２を受け止めると、テープ３を巻き戻し操作するたびに掛止片１２がストッパー１３に衝突しても、その衝突衝撃を突起１４が弾性変形することで吸収緩和するので、掛止片１２が連結部１０との連結基端において破損したり、あるいは変形したりするのを有効確実に防止できる。
【図面の簡単な説明】
【図１】ストッパーを示す正面図
【図２】テープカートリッジの内部構造を示す平面図
【図３】テープカートリッジの正面図
【符号の説明】
１  本体ケース
２  リール
３  磁気テープ
４  リーダーテープ
５  テープ引出口
１０  連結部
１１  連結穴
１２  掛止片
１３  ストッパー
１４  突起
１５  凹部
【図１】
0003908962.tif 000002
【図２】
0003908962.tif 000003
【図３】
0003908962.tif 000004